(57)【要約】      （修正有）【課題】使用時の安全性効果を達成したセンサ式タッチキーを提供する。【解決手段】センサ式タッチキーは、導体層及び絶縁層を備えるキーユニットと、導体層に電気的に接続する第一電気抵抗と、第一電気抵抗に電気的に接続する処理ユニットと、処理ユニットに電気的に接続する第二電気抵抗と、第二電気抵抗及び処理ユニットに電気的に接続する切換えスイッチとを最低備える。人体の手部分で絶縁層に接触した場合、処理ユニットによってその表面の電荷変化を検知し、変化があった場合、処理ユニットが起動信号を出力し切換えスイッチを駆動、これにより使用時の安全性効果を達成する。【選択図】図１
0003145421.tif 000002
【実用新案登録請求の範囲】
【請求項１】
導体層及び導体層上に重ね合わせる絶縁層を備えるキーユニットと、
前記のキーユニットの導体層に電気的に接続する第一電気抵抗と、
前記の第一電気抵抗に電気的に接続する処理ユニットと、
前記の処理ユニットに電気的に接続する第二電気抵抗と、
前記の第二電気抵抗及び処理ユニットに電気的に接続する切換えスイッチと、を具えることを特徴とするセンサ式タッチキー。
【請求項２】
請求項１記載のセンサ式タッチキーにおいて、前記の第一電気抵抗は、インピーダンスマッチングする抵抗であり、第二電気抵抗は限流抵抗であることを特徴とするセンサ式タッチキー。
【請求項３】
請求項１記載のセンサ式タッチキーにおいて、前記の処理ユニットは、電荷検知及び信号処理をするユニットであることを特徴とするセンサ式タッチキー。
【請求項４】
請求項１記載のセンサ式タッチキーにおいて、前記の切換えスイッチは継電器であることを特徴とするセンサ式タッチキー。
【考案の詳細な説明】
【技術分野】
【０００１】
本考案は、センサ式タッチキーに関するもので、特に表面の電荷変化を利用して切換えスイッチを起動させ、使用時に安全性効果を達成する。
【背景技術】
【０００２】
公知のキー８（図３参照）は、プッシュ部８１、及び該プッシュ部８１下方に配置した二つの接点８２、接点８３を備える。使用時には所定の外力をプッシュ部８１上にかけ、プッシュ部８１とその下方の二つの接点８２と接点８３を接触し、導通起動する。
【０００３】
しかし、前述した公知のキー８は、外力の圧力によって導通起動するが、該プッシュ部８１が機構式設計である故、一定時間使用するとプッシュ部８１が長期的に圧力を受けて接触不良や破損を引き起こす。また、使用時に感電や他の装置の作動に影響を与える現象が発生することもあり、キー８は使用上の安全性が低いことになる。
【考案の開示】
【考案が解決しようとする課題】
【０００４】
本考案の主な目的は、人体の手部分で絶縁層に接触した場合、処理ユニットによってその表面の電荷変化を検知し、変化があった場合、処理ユニットが起動信号を出力し切換えスイッチを駆動、これにより使用時の安全性効果を達成することにある。
【０００５】
前述の目的を達成する為、本考案は、センサ式タッチキーを提供する。それは、導体層及び絶縁層を備えるキーユニットと、導体層に電気的に接続する第一電気抵抗と、第一電気抵抗に電気的に接続する処理ユニットと、処理ユニットに電気的に接続する第二電気抵抗と、第二電気抵抗及び処理ユニットに電気的に接続する切換えスイッチとを最低備える。
【課題を解決するための手段】
【０００６】
請求項１の考案は、導体層及び導体層上に重ね合わせる絶縁層を備えるキーユニットと、
前記のキーユニットの導体層に電気的に接続する第一電気抵抗と、
前記の第一電気抵抗に電気的に接続する処理ユニットと、
前記の処理ユニットに電気的に接続する第二電気抵抗と、
前記の第二電気抵抗及び処理ユニットに電気的に接続する切換えスイッチと、を具えることを特徴とするセンサ式タッチキーとしている。
請求項２の考案は、請求項１記載のセンサ式タッチキーにおいて、前記の第一電気抵抗は、インピーダンスマッチングする抵抗であり、第二電気抵抗は限流抵抗であることを特徴とするセンサ式タッチキーとしている。
請求項３の考案は、請求項１記載のセンサ式タッチキーにおいて、前記の処理ユニットは、電荷検知及び信号処理をするユニットであることを特徴とするセンサ式タッチキーとしている。
請求項４の考案は、請求項１記載のセンサ式タッチキーにおいて、前記の切換えスイッチは継電器であることを特徴とするセンサ式タッチキーとしている。
【考案の効果】
【０００７】
本考案のセンサ式タッチキーは、表面の電荷変化を利用して切換えスイッチを起動させ、使用時に安全性効果を達成することを特徴とする。
【考案を実施するための最良の形態】
【０００８】
図１に、本考案の基本構造図を示す。図に示す通り、本考案のセンサ式タッチキーは、キーユニット１、第一電気抵抗２、処理ユニット３、第二電気抵抗４、及び切換えスイッチ５により構成される。
前記のキーユニット１は、導体層１１、及び導体層１１上に重ね合わせる絶縁層１２を含む。
第一電気抵抗２は、前記のキーユニット１の導体層１１を電気的に接続し、また第一電気抵抗２はインピーダンスマッチングした抵抗である。
処理ユニット３は、前記の第一電気抵抗２に電気的に接続し、処理ユニット３は電荷検知及び信号処理をするユニットである。
第二電気抵抗４は前記の処理ユニット３に電気的に接続し、第二電気抵抗４は限流抵抗である。
切換えスイッチ５は前記の第二電気抵抗４及び処理ユニット３に電気的に接続し、該切換えスイッチ５は継電器である。このように前記の構造によって全く新しいセンサ式タッチキーが構成される。
【０００９】
図２に、本考案の使用状態図を示す。図に示す通り、操作時には、処理ユニット３と切換えスイッチ５と必要な電源ユニット６を接続し、並びに、必要な電子装置７と切換えスイッチ５を接続する。使用する場合、使用者の手がキーユニット１の絶縁層１２に接触すると、絶縁層１２表面の電荷が変化を起こし（即ち等価コンデンサの変化発生）、この時、該処理ユニット３は、関連する検知と分析を行う。また、該処理ユニット３が絶縁層１２表面の電荷変化を検知分析すると、処理ユニット３に係合する第二電気抵抗４から起動信号が出力され切換えスイッチ５を駆動し、切換えスイッチ５が起動することにより、必要な電子装置７が作動する。キーユニット１は絶縁層１２によって人体の手と導体層１１を完全に絶縁する故、感電を防止、このようにして使用時の安全性を達成する。
【００１０】
前述した通り、本考案のセンサ式タッチキーは、人体の手によって絶縁層に接触した場合、処理ユニットによって表面の電荷変化を検知し、変化があった場合、処理ユニットが起動信号を出力し切換えスイッチを起動、これにより使用時の安全性効果を達成する。
【図面の簡単な説明】
【００１１】
【図１】本考案の基本構造図である。
【図２】本考案の使用状態図である。
【図３】公知技術の使用状態図である。
【符号の説明】
【００１２】
１      キーユニット
１１    導体層
１２    絶縁層
２      第一電気抵抗
３      処理ユニット
４      第二電気抵抗
５      切換えスイッチ
６      電源ユニット
７      電子装置
８      キー
８１    プッシュ部
８２    接点
８３    接点
【図１】
0003145421.tif 000003
【図２】
0003145421.tif 000004
【図３】
0003145421.tif 000005